(57)【特許請求の範囲】
【請求項１】
レンズと、
前記レンズの外周に配設されて当該レンズを保持する保持部材と、
前記レンズを挟んで前記保持部材に対向する位置に前記レンズの縁と当接して配置可能な取っ手部材と、
前記保持部材の一端部に配設され、前記レンズの面に交差する平面内で前記取っ手部材を回動可能に支持する回動手段とを有することを特徴とするルーペ。
【請求項２】
前記取っ手の前記レンズの縁と当接する側は、前記レンズの外周に沿った形状であることを特徴とする請求項１に記載のルーペ。
【請求項３】
前記取っ手の握り部の長さは、前記レンズの焦点距離より短く形成されていることを特徴とする請求項１または２に記載のルーペ。
【請求項４】
前記回動手段は、前記取っ手を所定の角度で保持するための規制手段を有することを特徴とする請求項１から３のいすれか１項に記載のルーペ。
【請求項５】
前記レンズ、前記保持部材、及び前記取っ手部材の少なくとも２つは、同じ材料で形成されていることを特徴とする請求項１から４のいずれか１項に記載のルーペ。
【請求項６】
前記保持部材は、前記レンズの一部として形成されていることを特徴とする請求項１から５いずれか１項に記載のルーペ。
【請求項７】
前記レンズは矩形状に形成され、前記矩形の一辺の長さは当該レンズの焦点距離より短く形成されていることを特徴とする請求項１から６のいずれか１項に記載のルーペ。
【請求項８】
前記レンズは円形状に形成され、前記円形の直径は当該レンズの焦点距離より短く形成されていることを特徴とする請求項１から６のいずれか１項に記載のルーペ。
【発明の詳細な説明】
【技術分野】
【０００１】
本発明は、被観察物を拡大するためのルーペに関する。
【背景技術】
【０００２】
従来、読書用のルーペは凸レンズを保持する保持枠に取っ手が設けられ、この取っ手を手で支え書物と目との間の見やすい距離に支持して書物の文字を拡大して見るものである（例えば、特許文献１参照）。
【特許文献１】特開２００４−５３７８７号公報
【発明の開示】
【発明が解決しようとする課題】
【０００３】
従来のルーペは、取っ手を持って書物と目との間の見やすい距離にルーペを支持するため、長時間の読書では腕が疲れてしまうと言う問題がある。
【課題を解決するための手段】
【０００４】
上記課題を解決するため、本発明は、レンズと、前記レンズの外周に配設されて当該レンズを保持する保持部材と、前記レンズを挟んで前記保持部材に対向する位置に前記レンズの縁に当接して配置可能な取っ手部材と、前記保持部材の一端部に配設され、前記レンズの面に交差する平面内で前記取っ手部材を回動可能に支持する回動手段とを有することを特徴とするルーペを提供する。
【発明の効果】
【０００５】
本発明によれば、長時間の読書でもルーペを支持する腕の疲れを軽減可能なルーペを提供することができる。
【発明を実施するための最良の形態】
【０００６】
以下、本発明の一実施の形態にかかるルーペについて図面を参照しつつ説明する。なお、以下の実施の形態は、発明の理解の容易化のためのものに過ぎず、本発明の技術的思想を逸脱しない範囲において当業者により実施可能な付加・置換等を施すことを排除することは意図していない。
【０００７】
図１は、実施の形態にかかるルーペを示し、（ａ）は正面図を、（ｂ）はＡ−Ａ線に沿った断面図を、（ｃ）はＸ方向から見た側面図をそれぞれ示す。
【０００８】
図１において、ルーペ１００は、凸レンズ１と、この凸レンズ１を保持するレンズ保持枠２と、レンズ保持枠２の一端部２ａに配設された回転軸穴３と、この回転軸穴３に嵌合する回転軸４を有する取っ手５から構成されている。
【０００９】
凸レンズ１は矩形状に形成されており、矩形状の凸レンズ１の外周部のほぼ半分を略Ｕ字状に形成されたレンズ保持枠２で保持している。略Ｕ字状のレンズ保持枠２は、内側に凸レンズ１を嵌合する不図示の溝を有し、この溝に凸レンズ１を接着して保持している。
【００１０】
取っ手５は、略Ｕ字状に形成されてレンズ保持枠２に対向する位置の凸レンズ１の外周部に配置されている。取っ手５の一端部５ａには、レンズ保持枠２の一端部２ａに形成された回転軸穴３に挿入され、取っ手５を回動可能に保持するための回転軸４が形成されている。
【００１１】
回転軸４は回転軸穴３に例えば弾性体等の規制部材４ａを介して挿入され、この弾性体により取っ手５が簡単に回動し、かつ力が与えられていないときには回動を規制している。これにより、凸レンズ１の表面に対して略垂直な面内で取っ手５が回動することができる。なお、規制部材４ａはゴムなどの弾性体に限られることは無く、適宜材料を選択できることは言うまでもない。また、ゴムのような摩擦（フリクション）によって規制する以外に、所定の角度間隙で回動を規制するクリック構造等を採用することも出来る。このような回転軸４の回動を規制する規制部材４ａを有することで、後述するルーペ１００を使用するときに凸レンズ１の面と取っ手との角度を所定の角度に設定し保持することが可能になる。
【００１２】
取っ手５は、回転軸穴３の中心軸に対して３６０度回動可能に構成されており、任意の角度に取っ手の位置を設定することが出来る。これにより、右利き、左利きのどちらのユーザにもルーペ１００を使用することが可能になる。
【００１３】
取っ手５の内側の形状は、矩形状の凸レンズ１の外周に沿った形状を有し、取っ手５の他端部側５ｂは、矩形状の凸レンズ１の短辺の外周部に沿って曲げられて形成されている。そして、回転軸４のある一端部側５ａと他端部側５ｂとの間に握り部５ｃが形成されている。
【００１４】
取っ手５を回動して取っ手５を折りたたむと、図１（ｃ）に示すように、取っ手５は凸レンズの外周に沿って凸レンズ１の縁に当接して収まり、ほぼ平板状で凸レンズ１の形状と同形状にすることが出来、突起部が無く、小型となりポケットなどに入れて持ち運ぶことが容易になる。このときも、規制部材４ａが取っ手５の回動を規制するため取っ手５が勝手に動くことが無く図１（ｃ）に示す平らな状態を維持することが出来る。また、取っ手５の内周側に凸レンズ１の縁と嵌め合う溝を形成しておくことで、不用意に取っ手５が勝手に動くことを防止することができる。
【００１５】
次に、ルーペ１００の使い方について図２を参照しつつ説明する。図２は実施の形態にかかるルーペの使用状態例を示し、（ａ）は正面図を、（ｂ）はＸ方向から見た側面図をそれぞれ示す。
【００１６】
図２（ｂ）は、ルーペ１００の取っ手５をほぼ９０度（θ＝９０度）回動して、取っ手５の他端部側５ｂを不図示の書物等を置いた机６の表面に載せた状態を示している。このとき、取っ手５は、回転軸４が規制部材４ａで回動を規制するため、取っ手５と凸レンズ１の面との角度が設定した角度（ここではθ＝９０度）に保持される。
【００１７】
ユーザは取っ手５の握り部５ｃを握り凸レンズ１の上部から机６上に置かれた書物等を拡大して見ることが出来る。このとき、ルーペ１００の自重は取っ手５を介して他端部側５ｂで机６にかかるため、ユーザはルーペ１００の重みを腕で支える必要が無い。この結果、長時間ルーペ１００を使用した時の腕の疲れを軽減することができる。また、他端部５ｂの外周面は取っ手５の縁設方向に平坦な形状となっているので、安定して机６に手で支えながら置くことができる。
【００１８】
また、凸レンズ１と書籍を置いた机６との距離Ｌは、凸レンズ１と取っ手５の成す角度θを大きくすることで短くしている。角度θを調整することでユーザにとって最も見やすい距離にルーペ１００を配置することが出来る。
【００１９】
一般的に読書用のルーペ１００は、４ディオプターから８ディオプター程度、すなわち焦点距離２５０ｍｍから１２５ｍｍ程度の凸レンズ１（フレネルレンズ等も含む）が用いされる。さらに両眼視できるようにその外形は大きいものが好まれる。また、読書用ルーペ１００は長焦点であるため、観察物体（例えば、書籍など）から眼までの距離を３５０ｍｍから４００ｍｍにとり、その中間近傍にルーペ１００を置くと最大倍率になり、それより物体側に凸レンズ１を移動すると倍率が変えられる。
【００２０】
本実施の形態では、机６と凸レンズ１との距離Ｌを取っ手５の握り部５ｃ等の長さにより規定している。そして、握り部５ｃの長さを凸レンズ１の焦点距離より短く形成することで上記読書用ルーペ１００の機能を発揮することが出来る。
【００２１】
以下、具体的数値例について説明する。なお、以下の実施例では単位をｍｍで説明するが、光学系は比例拡大、縮小が可能であり、単位はこれに限定されるものではない。
【００２２】
（実施例１）
図２に基づいて一例を示す。
【００２３】
凸レンズ１の長辺  Ｄ１＝１５０ｍｍ
凸レンズ１の短辺  Ｄ２＝１００ｍｍ
凸レンズ１のディオプタ−  ＝＋４  （焦点距離２５０ｍｍ）
取っ手５の端部側５ｂの太さ  Ｄ３＝３０ｍｍ
取っ手５の握り部５ｃの長さ  Ｄ４＝１５０ｍｍ
【００２４】
このようなルーペ１００の場合、机６から凸レンズ１までの距離Ｌは、凸レンズ１の長辺の長さ（握り部５ｃの長さ）１５０ｍｍと、端部側５ｂの太さ３０ｍｍと、回転軸４の中心までの距離（Ｄ３／２））１５ｍｍの総和の１９５ｍｍとなる。
【００２５】
このＬ＝１９５ｍｍは、読書用ルーペ１００の標準位置に一致し、机６上に置かれた観察対象を拡大して観察することが出来る。
【００２６】
また、握り部５ｃの長さは１５０ｍｍあり、これは成人の拳幅に比べて余裕のある寸法に形成されている。
【００２７】
また、取っ手５の端部側５ｂは、凸レンズ１の外周に沿って湾曲させており、これにより握り部５ｂを握った手の小指側が当たるようになり、手から落下することを防止し、握力低下時も支えになる。
【００２８】
またルーペ１００の使用時の姿勢が、ひじから先を机６に載せることになりルーペ１００も取っ手５の端部側５ｂを支点に机６に置くので、上腕部に負担が少なく長時間使用時の疲れを軽減することができる。
【００２９】
（実施例２）
図３は実施例２にかかるルーペ２００を示す図である。実施例１と異なるところは、凸レンズ１１が矩形から円形に変更され、これに応じてレンズ保持部材１２、取っ手１５の凸レンズ１１側の形状が変更されている。
【００３０】
凸レンズ１１の直径  Ｄ１＝１５０ｍｍ
凸レンズ１のディオプタ−  ＝＋４  （焦点距離２５０ｍｍ）
取っ手１５の端部側１５ｂの太さ  Ｄ３＝３０ｍｍ
取っ手１５の握り部１５ｃの長さ  Ｄ４＝１５０ｍｍ
【００３１】
このようなルーペ２００の場合、机６から凸レンズ１１までの距離Ｌは、凸レンズ１１の直径（握り部５ｃの長さ）１５０ｍｍと、端部側５ｂの太さ３０ｍｍと、回転軸４の中心までの距離（Ｄ３／２）１５ｍｍの総和の１９５ｍｍとなる。
【００３２】
実施例２も実施例１と同様の作用、効果を奏することが出来、詳細な説明は省略する。
【００３３】
なお、上記実施の形態では、凸レンズ１、１１、レンズ保持部材２、１２、取っ手５、１５は、それぞれ独立部材で形成され、組み立てられている場合について説明したが、凸レンズ１、１１、レンズ保持部材２、１２を一体に形成し取っ手５、１５を組み立てるように構成しても良い。また、凸レンズ１、１１、レンズ保持部材２、１２、取っ手５、１５の材質は、少なくとも２つを同じ材質（例えば、プラスチックなど）で形成しても良い。
【００３４】
以上述べたように、本実施の形態に係るルーペによれば、回動した取っ手の端部を机に置くことによって、長時間にわたる観察時の腕の疲労を軽減できるルーペを提供することができる。
【００３５】
また、回動した取っ手の端部を机に置くことによって、光学基準位置に凸レンズを配置することができるルーペを提供することが出来る。
【００３６】
また、取っ手の回動する角度を調整することで、個人差による凸レンズの位置の変化にも対応可能なルーペを提供することが出来る。
【００３７】
また、取っ手は３６０度回動することが出来るため、右利き左利きの両方の使用者が好適な状態で使用可能なルーペを提供することが出来る。
【００３８】
また、取っ手を折り畳んだ状態では、凸レンズの厚さと同程度の厚みの平板状にすることが出来、取っ手を意識することなく携帯することが出来るルーペを提供することが出来る。
【図面の簡単な説明】
【００３９】
【図１】図１は、実施の形態にかかるルーペを示し、（ａ）は正面図を、（ｂ）はＡ−Ａ線に沿った断面図を、（ｃ）はＸ方向から見た側面図をそれぞれ示す。
【図２】図２は実施の形態にかかるルーペの使用状態例を示し、（ａ）は正面図を、（ｂ）はＸ方向から見た側面図をそれぞれ示す。
【図３】実施例２にかかるルーペを示す。
【符号の説明】
【００４０】
１、１１    凸レンズ
２、１２    レンズ保持枠
３          回転軸穴
４          回転軸
５，１５    取っ手
１００、１００    ルーペ
【図１】
0005097589.tif 000002
【図２】
0005097589.tif 000003
【図３】
0005097589.tif 000004